(57)【要約】  ブレード本体８をワイパアーム２に連結するための連結部材９を、プライマリレバー４に形成の開口４ａに内嵌する状態で支軸３に揺動自在に取り付けるにあたり、連結部材９を、左右側壁部１０間に架け渡すようにして一体形成される上側片１２と、切欠き溝１３ａを存する状態で左右側壁部１０から切り離された状態で形成される下側片１３とを備えたものとしたときに、左右側壁部１０の外側面を開口内側面４ｂに確実に摺動させる。  前記連結部材９の外側面には、開口内側面４ｂに摺接する上下の突出部１４、１５を、上側突出部１４の突出量が下側突出部１５の突出量より小さくして内側への変形が大きい下側突出部１５の摺接を確実にする。
2007088780.tif 000002
【特許請求の範囲】
【請求項１】
ブレード本体側に形成された開口に内嵌する状態で揺動自在に取り付けられ、該ブレード本体をワイパアームに連結するための連結部材を備えたものであって、該連結部材を、左右側壁部と、ブレード本体側に設けた支軸に揺動自在に外嵌する軸支部と、該軸支部から続く状態で形成される上下両側片とで構成し、軸支部と上側片とは左右側壁部間を掛け渡すようにして一体形成し、下側片は切欠き溝により左右側壁部から切り離されるようにして形成してなるワイパブレードにおける連結部材において、前記連結部材の左右側壁部の外側面には、開口内側面に摺接する突出部が形成され、該突出部の外側突出量が左右側壁部の上側片側で小さく下側片側で大きくなるよう異ならして形成したことを特徴とするワイパブレードにおける連結部材。
【請求項２】
突出部は、外側突出量が左右側壁部の上側片側で小さく下側片側で大きくなるよう段差状に異ならして形成したことを特徴とする請求項１記載のワイパブレードにおける連結部材。
【請求項３】
段差状に異ならしめた突出部同志は、横方向の凹溝により上側に区画された上側突出部と下側に区画された下側突出部を有していることを特徴とする請求項２記載のワイパブレードにおける連結部材。
【請求項４】
突出部は、外側突出量が左右側壁部の上側片側で小さく下側片側で大きくなるよう傾斜状に異ならして形成したことを特徴とする請求項１乃至３の何れか一つに記載のワイパブレードにおける連結部材。
【請求項５】
下側突出部は、上側突出部よりも突出量が大きい状態を維持しながら、軸支部側の突出量が小さく設定されていることを特徴とする請求項１乃至４の何れか一つに記載のワイパブレードにおける連結部材。
【請求項６】
突出部は上下の突出部とし、上側突出部は、上側片に対してワイパアームのアーム長方向に沿いながら上下方向に延びる平面形状をし、下側突出部は、下側片に対しアーム長方向に沿いながら上下方向に延びる平面状態をしていることを特徴とする請求項１記載のワイパブレードにおける連結部材。
【請求項７】
下側突出部は、アーム長方向中間部に位置する縦方向の凹溝によって先後に区画されていることを特徴とする請求項１乃至６の何れか一つに記載のワイパブレードにおける連結部材。
【発明の詳細な説明】
【技術分野】
【０００１】
本発明は、ワイパブレードをワイパアームに連結取付けするためブレード本体に取付けられる連結部材の技術分野に属するものである。
【背景技術】
【０００２】
一般に、ブレード本体には、該ワイパブレードをワイパアーム先端部に連結するための連結部材（Ｕクリップ）が取付けられているが、該連結部材は、ブレード本体側の支軸に揺動自在に取付けられるものであって、その左右両側壁部間に形成したＵ字形の連結部にワイパアーム先端部に形成のＵ字形をした先端部を外嵌状に連結するようにし、これによってワイパーブレードをワイパアームに対して揺動自在となるように取付けるものが広く採用されている（例えば特許文献１、２参照。）。ところがこのものは、ワイパブレードの払拭方向側の振れ（ガタ）を防止するため、連結部材の左右側壁部の外面をブレード本体側の側板に摺動させるようにしているが、前記連結部材は、外面形状がＵ字形をした連結部の上下方向が開放した構造、つまり左右側壁部の上下部位がリップ状になって開口した構造になっているため、樹脂成形後、樹脂の引け等によって内側に引っ張られ、この結果、ブレード本体側との摺動が不充分になって払拭時に振れが発生する等の問題がある。
この改善策として、連結部材左右側壁部の外面に、ブレード本体側の側板に接触して摺動を確保するため、突出量が同じ状態の突出部を形成することが提唱されている（例えば特許文献３参照。）。
【特許文献１】実用新案登録第２５６９４８７号公報
【特許文献２】特開平１１−３１０１１０号公報
【特許文献３】特開２００４−３３０８３５号公報
【発明の開示】
【発明が解決しようとする課題】
【０００３】
ところが前記左右側壁部間に形成される連結部は、ブレード本体に設けた支軸を揺動自在に外嵌支持する軸支部と、該軸支部から続く状態でワイパアームのアーム長方向基端側に延設される上下側片部とで形成されていて、外面形状がＵ字形になっているものであるが、そのうち軸支部と上側片とは左右側壁部に対して架け渡された状態で一体形成されている。これに対し、下側片は、ワイパアーム先端部との着脱をするため、左右側壁部から切り離されていて弾性変形可能なものになっている。この結果、前記左右側壁部の上半部については、該左右側壁部と一体になった上側片による支持を受けるため変形が少なくブレード本体側との摺動を確保できるが、下半部については、前記切り離されていることにより下側片による支持を得られないことになって内側に変形しやすく、この結果、前記突出部を形成した連結部材であっても、下半部についてはブレード本体側との摺動が充分に確保できず、ワイパブレードの振れ解消機能が依然として損なわれるという問題があり、ここに本発明の解決すべき課題がある。
【課題を解決するための手段】
【０００４】
本発明は、上記の如き実情に鑑みこれらの課題を解決することを目的として創作されたものであって、請求項１の発明は、ブレード本体側に形成の開口に内嵌する状態で揺動自在に取り付けられ、該ブレード本体をワイパアームに連結するための連結部材を備えたものであって、該連結部材を、左右側壁部と、ブレード本体側に設けた支軸に揺動自在に外嵌する軸支部と、該軸支部から続く状態で形成される上下両側片とで構成し、軸支部と上側片とは左右側壁部間を掛け渡すようにして一体形成し、下側片は切欠き溝により左右側壁部から切り離されるようにして形成してなるワイパブレードにおける連結部材において、前記連結部材の左右側壁部の外側面には、開口内側面に摺接する突出部が形成され、突出部の外側突出量が上側片側で小さく下側片側で大きくなるよう異ならして形成したことを特徴とするワイパブレードにおける連結部材である。
請求項２の発明は、突出部は、外側突出量が上側片側で小さく下側片側で大きくなるよう段差状に異ならして形成したことを特徴とする請求項１記載のワイパブレードにおける連結部材である。
請求項３の発明は、段差状に異ならしめた突出部同志は、横方向の凹溝により上側に区画された上側突出部と下側に区画された下側突出部を有していることを特徴とする請求項２記載のワイパブレードにおける連結部材である。
請求項４の発明は、突出部は、外側突出量が上側片側で小さく下側片側で大きくなるよう傾斜状に異ならして形成したことを特徴とする請求項１乃至３の何れか一つに記載のワイパブレードにおける連結部材である。
請求項５の発明は、下側突出部は、上側突出部よりも突出量が大きい状態を維持しながら、軸支部側の突出量が小さく設定されていることを特徴とする請求項１乃至４の何れか一つに記載のワイパブレードにおける連結部材である。
請求項６の発明は、突出部は上下の突出部とし、上側突出部は、上側片に対してワイパアームのアーム長方向に沿いながら上下方向に延びる平面形状をし、下側突出部は、下側片に対しアーム長方向に沿いながら上下方向に延びる平面状態をしていることを特徴とする請求項１記載のワイパブレードにおける連結部材である。
請求項７の発明は、下側突出部は、アーム長方向中間部に位置する縦方向の凹溝によって先後に区画されていることを特徴とする請求項１乃至６の何れか一つに記載のワイパブレードにおける連結部材である。
【発明の効果】
【０００５】
請求項１の発明とすることにより、下側片が左右側壁部から切り離されることで該左右側壁部の下側が大きく変形しても、突出量の多い下側突出部が確実に開口内側面に摺接することになってワイパブレードの優れた振れ防止機能を発揮することができる。
請求項２の発明とすることにより、段差状に異なる突出部によりワイパブレードの優れた振れ防止機能を発揮できる。
請求項３の発明とすることにより、段差状に異なる各突出部の内側への変形が容易になってワイパブレードの優れた振れ防止機能を発揮できる。
請求項４の発明とすることにより、傾斜状になった突出部によりワイパブレードの優れた振れ防止機能を発揮できる。
請求項５の発明とすることにより、変形量が大きい左右側壁部の下側部位軸支部側については、該軸支部による支持機能が発揮されるため変形量が少ない部位についての突出量は少なく、最も変形量が大きいアーム長方向基端側部位の突出量が大きくなって摺動を確実にでき、ワイパブレードの優れた振れ防止機能を発揮できる。
請求項６の発明とすることにより、左右各側に形成される四つの突出部によって摺動を確実にでき、ワイパブレードの優れた振れ防止機能を発揮できる。
請求項７の発明とすることにより、左右側壁部の下側部位は、軸支部があることで先後で異なる変形量に対応した変形ができることになって、ワイパブレードの優れた振れ防止機能を発揮できる。
【図面の簡単な説明】
【０００６】
【図１】（Ａ）、（Ｂ）はワイパアームにブレードを取付けた状態を示す側面図、平面図である。
【図２】（Ａ）、（Ｂ）、（Ｃ）は連結部材の側面図、平面図、底面図である。
【図３】（Ａ）、（Ｂ）は連結部材の側面断面図、正面断面図である。
【図４】（Ａ）、（Ｂ）は連結部材がブレード本体に組み付けられた状態の軸支部部位の縦断面図、突出部部位の縦断面図である。
【図５】（Ａ）、（Ｂ）、（Ｃ）、（Ｄ）は第二から第五の実施の形態を示す連結部材の突出部部位の縦断面図である。
【図６】（Ａ）、（Ｂ）は第六、第七の実施の形態を示連結部材の下側突出部位の横断面図である。
【符号の説明】
【０００７】
１    ワイパブレード
２    ワイパアーム
２ａ  アーム先端部
３    支軸
４ａ  開口
４ｂ  内側面
８    ブレード本体
９    連結部材
１０    左右側壁部
１１    軸支部
１４    上側突出部
１５    下側突出部
１６    横方向の凹溝
１７    縦方向の凹溝
【発明を実施するための最良の形態】
【０００８】
次ぎに、本発明の実施の形態について、図面に基づいて説明する。図中、１はワイパブレードであって、該実施の形態のワイパブレード１は、ワイパアーム２を揺動自在に支持するための支軸３が設けられたプライマリレバー４、該プライマリレバー４の両端に揺動自在に取り付けられたセカンダリレバー５、該セカンダリレバー５の両端に揺動自在に取り付けられたヨーク６、該ヨーク６に支持されるブレードラバー７を備えたブレード本体８によって構成されていること等は何れも従来どおりであるのでその詳細については省略する。【０００９】
前記プライマリレバー４の支軸３が設けられる長さ方向中央部位上面には開口４ａが形成され、該開口４ａに内嵌する状態で後述する連結部材９が支軸３に揺動自在に取り付けられ、該連結部材９にワイパアーム２のＵ字形に折り返し形成した先端部２ａを着脱自在に取り付けることで、ワイパブレード１のワイパアーム２への取り付けができるようになっている。【００１０】
前記連結部材９は、ワイパアーム２のアーム長方向に長く形成された左右側壁部１０を備えて構成されているが、該左右側壁部１０間には、左右側壁部１０のアーム長方向先端側に偏倚し、かつ上下方向中央部に位置していて、左右側壁部１０のアーム長方向先端側部位および上下部位がリップ状になる状態で、前記支軸３に揺動自在に外嵌して取り付け支持される軸支部１１が横筒状に架け渡される状態で一体形成されている。尚、軸支部１１および左右側壁部１０には支軸３の無理嵌め状の着脱ができるよう開口１１ａ、１０ａが切欠き状に形成されている。【００１１】
さらに左右側壁部１０間には、前記軸支部１１から続いて左右側壁部１０のアーム長方向基端位置にまで至る状態で延設された上下側片１２、１３が上下に間隔を存して形成されており、これら軸支部１１および上下側片１２、１３で形成される連結部Ｘは、外面がＵ字形となってワイパアーム先端部２ａを外嵌組み込みできるようになっているが、左右側壁部１０は、上側片１２の上方および下側片１３の下方がそれぞれリップ状、つまり開口状になっている。【００１２】
そして上側片１２は、左右側壁部１０間に掛け渡される状態で該左右側壁部１０と一体形成されている。これに対し、下側片１３には、軸支部１１のアーム長方向基端側近傍位置から該基端位置に至るまでのあいだ左右一対の切欠き溝１３ａを存することで左右側壁部１０から切り離されていて上下方向に弾性変形可能な操作片（リリースレバー）１３ｂが形成されているが、該操作片１３ｂには、ワイパアーム先端部２ａに形成の係止孔２ｂが係脱自在に嵌合する係止突起１３ｃと、左右側壁部１０の基端部よりも外方に突出した操作爪１３ｄとが形成され、操作爪１３ｄを上側に向けて操作することで、係止突起１３ｃの係止孔２ｂからの係止が解除され、これによって前記外嵌組込みしたワイパアーム先端部２ａの連結部Ｘからの抜き操作ができるようになっている。尚、ワイパアーム先端部２ａの連結部Ｘへの組み込みは、先端部２ａの開口を軸支部１１側から嵌め込んだ状態でワイパブレード１をアーム長方向先端側に強制移動させることで係止突起１３ｃが係止孔２ｂに係合すべく操作片１３ｂが弾性変形することで、該操作片１３ｂの操作をすることなくできるようになっている。【００１３】
前記左右側壁部１０の外側面には、アーム長方向基端側半部に位置する状態で上下の突出部１４、１５が外側に突出する状態で形成されるが、上側突出部１４は、左右側壁部１０の内面に形成される前記連結部Ｘの上側片１２に対してアーム長方向に沿いながらさらに上下方向に延びる平面状態となり、下側突出部１５は連結部Ｘの下側片１３に対してアーム長方向に沿いながら上下方向に延びる平面状態となっていて、前記プライマリレバー開口４ａの左右内側面４ｂに摺接するようになっている。【００１４】
前記上下突出部１４、１５間には、上側片１２と下側片１３とのあいだの位置に位置する横方向の凹溝１６で上下に区画されているが、さらに上下各突出部１４、１５は、アーム長方向中間部に位置する縦方向の凹溝１７によってそれぞれ先後に区画されている。しかも上側突出部１４の左右側壁部１０からの突出量Ｙは、下側突出部１５の左右側壁部１０からの突出量Ｚに対して小さく（Ｙ＜Ｚ）設定されている。【００１５】
叙述の如く構成された本発明の実施の形態において、ブレード本体８側の支軸３に揺動自在に軸支されていて、ワイパアーム先端部２ａに着脱自在に取り付けられる連結部材９は、該連結部材９の構成部材である左右側壁部１０の軸支部１１部位よりもアーム長方向基端側部位の外側面に形成された突出部１４、１５がブレード本体８側の内側面、本実施の形態ではプライマリレバー４の内側面４ｂに摺接して払拭作動時の振れ防止をすることになるが、下側突出部１５は、連結部材９に形成される連結部Ｘの下側片１３に切欠き溝１３ａが形成されていて左右側壁部１０から切り離されたものであって、上側片１２のように左右側壁部１０のあいだに一体に架け渡されたもののように左右側壁部１０の支持機能がないものであるため、左右側壁部１０の下側部位はより内側に変形しやすくなるが、このものでは、下側突出部１５が上側突出部１４よりも突出量が大きくなっている結果、左右側壁部１０の下側部位が上側部位に対してより内側に変形したとしても、プライマリレバー内側面４ｂとのあいだの摺動が確実になって払拭作動時の振れを低減できることになる。【００１６】
しかもこのものでは、突出量が異なる上下両突出部１４、１５とのあいだに凹溝１７が形成されているため、左右側壁部１０の上半部と下半部とで異なる内側変形量があったときの積極的な変形がこの凹溝１７でなされることになって無理のない変形がなされる。【００１７】
また、上側突出部１４、下側突出部１５についても、縦方向の凹溝１８によって先後に区画されているため、左右側壁部に架け渡されるようにして一体形成される軸支部１１の存在によりアーム長方向基端側の方が変形量が少なくなるが、この変形についても凹溝１８で積極的になされることになって無理のない変形がなされる。【００１８】
なお、本発明は前記実施の形態に限定されるものでないことは勿論であって、図５（Ａ）に示す第二の実施の形態の連結部材９のように下側ほど突出量が大きい三段の突出部２０、２１、２２を各凹溝２３によって区画形成したものとしても実施でき、さらに四段以上にすることもできる。また図５（Ｂ）に示す第三の実施の形態の連結部材９のように、突出部２４を下側ほど突出量が大きくなる連続した傾斜面にすることもでき、さらにまた図５（Ｃ）に示す第四の実施の形態の連結部材９のように、下側ほど突出量が大きくなる傾斜状（または弧状）の突出部２５、２６を凹溝２７で区切るものとすることができ、またさらに図５（Ｄ）に示す第五の実施の形態の連結部材９のように、凹溝２８で区切られた上側突出部２９は平面状とし、下側突出部３０は下側ほど突出量が大きくなった傾斜面とすることができる。【００１９】
さらには下側突出部について、図６に示す実施の形態のように、軸支部１１から遠くなるアーム長方向基端側のものの突出量を大きくしたものにすることもできる。つまり、図６（Ａ）に示す第六の実施の形態の連結部材９は、凹溝３１で先後に区切られる下側突出部３２、３３について、上側突出部３４の突出量よりは突出量が大きいものに維持されるが、下側突出部のうち、先端側突出部３３の突出量の方が基端側突出部３２の突出量よりも小さくしたもので、このようにすることにより、軸支部１１から遠いため変形量が多くなる下側でかつ基端側突出部３３のブレード本体側との摺接を縒り確実なものになるように配慮されている。このようなものの変形として、図６（Ｂ）に示す第七の実施の形態の連結部材９の下側突出部３４、３５のように、上側突出部３６の突出量より大きい状態を維持しながら、軸支部１１から遠くなるほど突出量が大きくなる傾斜面にすることができ、この場合先後を凹溝３７で区切っても区切らなくてもよい。
【産業上の利用可能性】
【００２０】
本発明は、ワイパブレードをワイパアームに連結取付けするためにブレード本体に取り付けられる連結部材に有用であって、連結部材の左右側壁部の外側面に、開口内側面に摺接する突出部を外側突出量が上側片側で小さく下側片側で大きくなるよう異ならして形成することで、ワイパアーム先端部との着脱をするために左右側壁部から切り離されて弾性変形可能なものとされている下側片が内側に大きく変形しても、下側突出部が確実に開口内側面に摺接することができ、ワイパブレードの優れた振れ防止機能を発揮することができる。
【図１】
2007088780.tif 000003
【図２】
2007088780.tif 000004
【図３】
2007088780.tif 000005
【図４】
2007088780.tif 000006
【図５】
2007088780.tif 000007
【図６】
2007088780.tif 000008
【国際調査報告】
2007088780.tif 000009
2007088780.tif 000010
2007088780.tif 000011
2007088780.tif 000012